(57)【要約】【課題】床面の専有面積が小さく、トイレなどの狭い場所であってもスペース効率良く設置することができ、しかも部品点数が少なくて単純な構成を有する手洗装置を提供する。【解決手段】手洗ボール２２を有する手洗部２１と手洗部から下方に延長される枠部２５とが一体成形されてなる本体２０を有し、枠部の左右方向の一方側に給排水管を配置するための配置空間（３０）が設けられ、枠部に対して着脱可能に設けられるカバー部材４０が配置空間を前側から覆う。また、扉部材５０が枠部の左右方向の他方側を覆う。カバー部材と扉部材は略同様の外観形状を有していて、扉部材を閉めたときに略連続する凸曲面状となり、且つ、これらの下方には下端に向かうにつれて内側に後退する傾斜面４３，５１が形成されている。本体は床から浮いた状態で壁に固定される。【選択図】図４
2008291582.tif 000002
【特許請求の範囲】
【請求項１】
手洗ボールを有する手洗部と手洗部から下方に延長される枠部とが一体成形されてなる本体を有し、枠部の左右方向の一方側に給排水管を配置するための配置空間が設けられ、枠部に対して着脱可能に設けられて配置空間を前側から覆うカバー部材を備え、枠部の左右方向の他方側を覆う扉部材を備え、カバー部材と扉部材は略同様の外観形状を有していて、扉部材を閉めたときに略連続する凸曲面状となり、且つ、これらの下方には下端に向かうにつれて内側に後退する傾斜面が形成されていることを特徴とする手洗装置。
【請求項２】
前記カバー部材が枠部の左右方向の他方側に延長して該他方側の枠部内に嵌合される収納部を備え、この収納部を前側から覆うように前記扉部材が設けられることを特徴とする請求項１記載の手洗装置。
【請求項３】
本体が床から浮いた状態で壁に固定されることを特徴とする請求項１または２記載の手洗装置。
【発明の詳細な説明】
【技術分野】
【０００１】
本発明は手洗装置に関し、特にトイレなどの狭い場所に設置するに適した手洗装置に関する。
【背景技術】
【０００２】
従来のトイレ装置の多くはトイレタンクの上部に手洗器が設けられていたが、近年ではトイレタンクのないタンクレストイレが普及しつつあり、この場合にはタンクレストイレとは別に手洗装置を設置する必要がある。
【０００３】
トイレとは別途に設置される手洗装置の一例が下記特許文献１に記載されている。
【特許文献１】特許第３５６０２８１号公報
【発明の開示】
【発明が解決しようとする課題】
【０００４】
しかしながら、特許文献１記載の従来技術によると、手洗器の下にベースキャビネット装置が設置されるため、行動可能な床面が狭くなり、また、床面の掃除がしにくくなるという問題がある。これらの問題は、特にトイレなどの狭い場所に設置する場合には致命的な欠点となる。
【０００５】
また、この手洗装置は主として洗面器とベースキャビネット装置とから構成されるが、手洗器、配管カバー、手洗器カバー、扉など多数の部材を必要とするので、組み立て作業に多工程を要し、コスト増を招く。
【０００６】
したがって、本発明は、従来技術の上記欠点を解決し、床面の専有面積が小さく、トイレなどの狭い場所であってもスペース効率良く設置することができ、しかも部品点数が少なくて単純な構成を有する手洗装置を提供することを課題とする。
【課題を解決するための手段】
【０００７】
上記の課題を達成するため、請求項１に係る本発明は、手洗ボールを有する手洗部と手洗部から下方に延長される枠部とが一体成形されてなる本体を有し、枠部の左右方向の一方側に給排水管を配置するための配置空間が設けられ、枠部に対して着脱可能に設けられて配置空間を前側から覆うカバー部材を備え、枠部の左右方向の他方側を覆う扉部材を備え、カバー部材と扉部材は略同様の外観形状を有していて、扉部材を閉めたときに略連続する凸曲面状となり、且つ、これらの下方には下端に向かうにつれて内側に後退する傾斜面が形成されていることを特徴とする手洗装置である。
【０００８】
請求項２に係る本発明は、前記カバー部材が枠部の左右方向の他方側に延長して該他方側の枠部内に嵌合される収納部を備え、この収納部を前側から覆うように前記扉部材が設けられることを特徴とする請求項１記載の手洗装置である。
【０００９】
請求項３に係る本発明は、本体が床から浮いた状態で壁に固定されることを特徴とする請求項１または２記載の手洗装置である。
【発明の効果】
【００１０】
本発明の手洗装置によれば、手洗ボールを有する手洗部と手洗部から下方に延長される枠部とが一体成形されてなる本体を有するので、部品点数が少なく、施工も容易である。
【００１１】
本体の枠部の左右方向の一方側に給排水管を配置するための配置空間が設けられるので、枠部の左右方向の他方側にトイレタリー用品などを収納する収納空間を確保することができる。
【００１２】
カバー部材は本体枠部に着脱可能に設けられるので、給排水管の点検や修理の際はカバー部材を外して作業を行うことができる。
【００１３】
カバー部材と扉部材は略同様の外観形状を有し、扉部材を閉めたときに略連続する凸曲面状を呈するので、すっきりした外観を与える。
【００１４】
カバー部材と扉部材には、下端に向かうにつれて内側に後退する傾斜面が形成されているので、足元が広くなり、掃除も容易である。本体を床から浮かせた状態にして壁に固定する場合にはこの効果がより顕著となる。したがって、トイレなどの狭い場所であってもスペース効率良く設置することができる。
【発明を実施するための最良の形態】
【００１５】
図１〜図６に本発明の一実施形態による手洗装置１０の構成を示す。この手洗装置１０は、本体２０と、カバー部材４０と、扉部材５０の３部材から構成される。これら各部材は、アクリル、ポリエチレン（ＰＥ）、プリプロピレン（ＰＰ）、ポリスチレン（ＰＳｔ）、ポリ塩化ビニル（ＰＶＣ）、アクリロニトリル・ブタジエン・スチレン（ＡＢＳ）などの各種合成樹脂板、あるいはこれらを複合した複合板（たとえば、板の表面側にメタクリル酸メチル樹脂（（ＰＭＭＡ）、アクリル樹脂の一種）、裏面側にアクリロニトリル・ブタジエン・スチレン樹脂を積層してなる複合板）を真空成形加工法で所定形状に成形することにより得られる。
【００１６】
本体２０は手洗部２１と枠部２５とを有する一体成形品である。手洗部２１は、手洗ボール２２と、給水栓取付部２３と、バックガード２４とを備える。バックガード２４は手洗いの際の水跳ねによって壁が汚れることを防止する。
【００１７】
手洗ボール２２の底の正面視右より位置に排水口３６が設けられる。排水口３６は後述の排水管１１に通じている。給水栓取付部２３は手洗ボールの右側に設けられ、給水栓Wを取り付けるための取付穴３７を有する。給水栓Wは後述の給水管１２に通じている。
【００１８】
手洗部２１の下端両側縁に沿ってビス孔３８が設けられ（図６）、これらビス孔３８にビス（図示せず）などでタオルハンガー３９が取り付けられる。タオルハンガー３９は金属などで形成された帯状または棒状の長尺材であり、手洗部２１の下端部において手洗部２１から若干の隙間を残した状態で手洗部２１と同調した湾曲形状を呈するように設けられる（図４）。
【００１９】
枠部２５は、手洗部２１から一体に下方に延長する左右一対の縦枠２６，２７および中央枠２８と、これらの下端を一体に連結して水平方向に延長する下枠２９とを有する（図６）。
【００２０】
手洗部２１の下方において枠部２５の正面視右側に形成される空間、すなわち右縦枠２６と中央枠２８と下枠２９に囲まれる空間３０は、枠部２５の背面から下方にかけて連続し、排水管１１や給水管１２などを収容して壁または床に通すための配管スペースとして利用される。
【００２１】
この実施形態では、排水管１１および給水管１２を壁に通して給排水するタイプの手洗装置１０であるので、排水管１１の外径に相当する大きさの半円形切り欠き（符号なし）を設けた一対の板部材３１，３１をビス、両面接着テープ（図示せず）などで背面側開口部３０ａに位置する壁面に取り付けて、排水管１１の周りに生ずる隙間に蓋（図示せず）を保持する。給水管１２が壁面を貫通する面にはドーナツ状の蓋部材（図示せず）を取り付ける。この場合は、下枠２９に板状の蓋（図示せず）をビス（図示せず）などで取り付けて、空間３０の底面側開口部３０ｂに蓋をする。
【００２２】
底面から給排水するタイプの手洗装置の場合には、空間３０の底面側開口部３０ｂに排水管１１および給水管１２を通す。この場合は、下枠２９の下端と床１３（図７）との間に露出する排水管１１，給水管１２を覆い隠すため、これらの間隔に略一致する高さ寸法の略コの字形の床排水用カバー（図示せず）を取り付けることが好ましい。
【００２３】
手洗部２１の下方において枠部２５の正面視左側に形成される空間、すなわち左縦枠２７と中央枠２８と下枠２９に囲まれる空間には背面板３２が取り付けられる。背面板３２は枠部２５の強度を増大させると共に、この背面板３２にビスなどを打ち込むことができるので本体２０の壁への固定が容易になる。この背面板３２には上下二箇所に孔３３，３４が形成されている。
【００２４】
左縦枠２７には、扉部材５０を回転可能に取り付けるための上下一対のヒンジ１９，１９が固着されている。
【００２５】
カバー部材４０は、枠部２５の内部空間を閉止するために枠部２５の開放前面に着脱可能に取り付けられる。一例として、枠部２５の空間３０に対応する表面側４箇所に凸状の着脱部３５を設け、これら着脱部３５に対応するカバー部材４０の裏面側箇所にも着脱部を設けて、これら着脱部同士の係脱を介してカバー部材４０を取り付けることができる。着脱部３５としてはベルクロテープ（面ファスナー）、永久磁石などを用いることができる。
【００２６】
カバー部材４０は、枠部２５の正面視右側の空間（配管スペース）３０を閉止するカバー部４１と、枠部２５の正面視左側の空間に収容嵌合される収納部４２とを有する一体成形品である。
【００２７】
カバー部４１の下方には、下端に向かうにつれて内側に後退する傾斜面４３が形成されると共に、上方左側縁には凹み４４が形成されている。凹み４４は、閉じた状態にある扉部材５０を開放するときに指を差し込む操作部として機能するので、操作用のつまみ部を別途扉部材５０に設ける必要がなくなり、扉部材５０の外観をすっきりさせる。
【００２８】
収納部４２は、トイレットペーパー、トイレブラシ、洗剤スプレーなどのトイレタリー用品を収納するために利用され、任意に棚板４５を有する。この実施形態では棚板４５の幅を収納部４２の幅の略二分の一程度として、その左側空間にトイレブラシなどの長尺部材を収納できるようにしている。
【００２９】
ヒンジ１９，１９を介して本体枠部２５の左縦枠２７に回転可能に取り付けられる扉部材５０は、カバー部４１に同調した形状を有しており、扉部材５０を閉じたときに、これらが略連続して平面視略湾曲凸面形状を呈する（図３〜図５）。また、カバー部４１と同様に、その下方に下端に向かうにつれて内側に後退する傾斜面５１が形成され、扉部材５０を閉じたときに、これらの傾斜面４３，５１が同調して正面視略半円弧状の上縁を有する後退面として看取される（図１，図５，図７）。傾斜面４３，５１の傾斜角度α（図２）は垂直面に対して１０〜３０度程度とすることが好ましく、この実施形態では約１５度である。傾斜角度αが１０度に満たないと足元空間を広くすると共に掃除をしやすくする効果が十分に得られず、３０度を越えると角張って見えるようになるので視覚的なデザイン効果が薄くなる。
【００３０】
図７はこの手洗装置１０の設置状態を示す。この設置例では、床１３から浮かせた状態で手洗装置１０を壁１４に固定している。これにより本体２０と床面１３との間に隙間ができるので、カバー部４１および扉部材５０の下方に形成される傾斜面４３，５１と相俟って、床面１３近くの足元空間が広く使え、掃除もしやすい。したがって、トイレなどの狭い空間にもスペース効率良く設置することができる。図７中、符号１５は便器、１６はカウンター、１７はトイレットペーパーホルダー、１８は幅木である。幅木１８がある場合は、本体枠部２５の下端が幅木１８の上端に接するか、あるいはその上方に位置するように本体２０を壁１４に固定することが好ましい。
【００３１】
本体２０を壁１４に固定する方法は限定的ではないが、たとえば壁１４にフック受け金具を固定すると共に本体２０の背面側にフック掛け金具を固定して、本体２０側のフック掛け金具を壁１４側のフック受け金具に掛けることによって固定することができる。この状態で、本体枠部２５の任意位置でビスを用いて枠部２５を壁１４に固定すれば、確実・安定した設置状態を得ることができる。
【図面の簡単な説明】
【００３２】
【図１】本発明の一実施形態による手洗装置の正面図である。
【図２】この手洗装置の右側面図である。
【図３】この手洗装置の平面図である。
【図４】この手洗装置の分解斜視図である。
【図５】図１中Ａ−Ａ切断線による断面図である。
【図６】この手洗装置の本体の斜視図である。
【図７】この手洗装置の設置状態斜視図である。
【符号の説明】
【００３３】
１０  手洗装置
２０  本体
２１  手洗部
２２  手洗ボール
２５  枠部
２６，２７  縦枠
２８  中央枠
２９  下枠
３０  空間（配管スペース）
４０  カバー部材
４１  カバー部
４２  収納部
４３  傾斜面
５０  扉部材
５１  傾斜面
【図１】
2008291582.tif 000003
【図２】
2008291582.tif 000004
【図３】
2008291582.tif 000005
【図４】
2008291582.tif 000006
【図５】
2008291582.tif 000007
【図６】
2008291582.tif 000008
【図７】
2008291582.tif 000009